(57)【要約】【課題】  操作パネルから用紙収縮率を設定する際、数十パターンからなるフロント、リヤエンジンの表面、裏面における水平、垂直方向の収縮率を容易に選択、決定し、かつ設定できるようにすることである。【解決手段】  本発明は、操作パネルから印刷位置チェックパターンをフロントエンジン及びリヤエンジンの表面、裏面における水平、垂直方向の収縮率を変えて、組み合わせ毎のナンバリングと水平、垂直方向の収縮率を同時に印刷し、現在の印刷用紙における最良の収縮率の組み合わせを印刷結果から判断し、各エンジンにおける表面、裏面における水平、垂直方向の収縮率を操作パネルから組み合わせナンバを入力することで設定できるようにしたことを特徴とする。【選択図】  図１
2006168245.tif 000002
【特許請求の範囲】
【請求項１】
ホストＣＰＵから送信される２色の印刷データを色別に分割し、フロントエンジンとリヤエンジンに振り分けて送信するフロント、リヤ印刷データ制御サーバと印刷データを受信する印刷データ受信制御部と、全体及び受信した印刷データを編集しメモリに格納する印刷制御部とトナーを用紙に定着させる時に生ずる用紙の熱収縮による印刷ずれを補正するためのプリントクロック制御部とメモリに格納したラスタパターンデータをシリアルデータに変換し、プリントクロック制御部の操作パネルから選択された用紙収縮率のプリントクロックに同期させてエンジン部に送信するパラレル、シリアル変換制御部とフロントエンジンとリヤエンジン間で同期を取るためのフロント、リヤ印刷制御通信部とプログラムやフォントデータを格納するハードディスクを備えたプリンタ２台をタンデム接続した構成し、フロント、リヤ印刷データ制御サーバとフロントエンジンとリヤエンジンの印刷データ受信部を接続し、スポットカラー両面印刷機能を可能にしたプリンタにおいて、
操作パネルの用紙収縮率設定メニューから各面にフロント、リヤエンジンの表面、裏面における水平、垂直方向の収縮率と印刷位置チェックパターンを各組み合わせ毎にナンバリングして収縮率の全組み合わせを印刷するとともに、現在の印刷用紙における最良の収縮率の組み合わせを印刷結果から判断し、その組み合わせ時のナンバを操作パネルから入力することでフロント、リヤエンジンの表面、裏面における水平、垂直方向の収縮率を一度に設定できることを特徴とするプリンタ制御装置。
【発明の詳細な説明】
【技術分野】
【０００１】
本発明は、印刷用紙の熱収縮に伴うフロントエンジンとリヤエンジンの印刷ずれを補正するプリンタ制御装置に関するものである。
【背景技術】
【０００２】
操作パネルから用紙の収縮率の設定は、フロント、リヤエンジンの表面、裏面における水平、垂直方向の収縮率をある収縮率の組み合わせで印刷し、どの程度ずれているかを測定した後、そこからどの収縮率を選択すればよいか推測し、設定する。収縮率設定後、設定結果を確認するため印刷を行い、印刷結果がずれていれば再度設定値変更と確認印刷を繰り返し決定していくため、設定に手間がかかっていた。
【０００３】
【特許文献１】特開平８−８８７１３号公報
【０００４】
【特許文献２】特開２００２−３３３７４４号公報
【発明の開示】
【発明が解決しようとする課題】
【０００５】
操作パネルから用紙収縮率を設定する際、数十パターンからなるフロント、リヤエンジンの表面、裏面における水平、垂直方向の収縮率を容易に選択、決定し、かつ設定できるようにすることである。
【課題を解決するための手段】
【０００６】
本発明は、操作パネルから印刷位置チェックパターンをフロントエンジン及びリヤエンジンの表面、裏面における水平、垂直方向の収縮率を変えて、組み合わせ毎のナンバリングと水平、垂直方向の収縮率を同時に印刷し、現在の印刷用紙における最良の収縮率の組み合わせを印刷結果から判断し各エンジンにおける表面、裏面における水平、垂直方向の収縮率を操作パネルから組み合わせナンバを入力して設定することを特徴とする。
【発明の効果】
【０００７】
本発明によれば、フロントエンジン及びリヤエンジンの表面、裏面における水平、垂直方向の全収縮率の組み合わせにて印刷される組み合わせナンバと印刷位置チェックパターンとフロントエンジン及びリヤエンジンの表面、裏面における水平、垂直の収縮率を目視にて確認できることで、容易にフロントエンジン及びリヤエンジンの表面、裏面の水平、垂直方向の収縮率を決定でき、かつ操作パネルから組み合わせナンバを入力するだけで簡単に多数のパラメータを設定できる。
【発明を実施するための最良の形態】
【０００８】
以下本発明を、実施例により説明する。
【実施例１】
【０００９】
図１は、プリンタの印刷データの流れを示す全体ブロック図である。図２は、フロントエンジンのブロック図である。図１、２において、１はホストCPU、２はフロント、リヤ印刷データ制御サーバ、３は受信制御部、４はメインメモリ、５は全体及びデータの編集、展開を制御する印刷制御部、６はパラレル、シリアルデータ変換制御部、７はプリントクロック制御部、８はフロントエンジン部、９はフロント、リヤ印刷制御通信部、１０は操作パネル、１１はHDD、１２はリヤエンジン部である。
【００１０】
ホストＣＰＵ１から印刷データが送られ、印刷データは、フロント／リヤエンジン印刷データ制御サーバ２でフロントエンジン及びリヤエンジンで印刷するデータに分割される。分割された各印刷データは受信制御部３で受信され、メインメモリ４内受信バッファに格納される。受信バッファに格納された印刷データに基づき、印刷制御部５が印刷データの編集、展開を行い、印刷データをメインメモリ４内フルドットメモリに格納する。フルドットメモリに格納された印刷データは、パラレル、シリアルデータ変換制御部６が設定された用紙収縮率に基づく発信器をプリントクロック制御部７で選択し、生成されるプリントクロックに同期してシリアルデータに変換し、エンジン部８、１２に出力し印刷される。
【００１１】
以上がホストCPU１から印刷データが送信され印刷されるまでの手順である。次に用紙収縮率設定メニューから、熱収縮に伴う用紙収縮率を設定する手順を示す。操作パネル１０から用紙収縮率設定メニューを選択し、次に片面印刷か両面印刷かを選択する。片面が選択された場合、フロントエンジンの印刷制御部５がＨＤＤ１１から印刷位置チェックパターンを読み出し、フロント、リヤエンジンの表面水平、垂直収縮率及び組み合わせナンバと共にメインメモリ４内フルドットメモリに展開し、パラレル、シリアル変換制御部６がフロント表面水平、垂直用紙収縮率０％用発振器のセレクト信号を出力し、生成されるプリントクロックに同期してフルドットメモリに格納されたフロント、リヤエンジンの表面水平、垂直収縮率、組み合わせナンバ及び印刷位置チェックパターンをフロント表面水平、垂直収縮率０％で印刷する。次に、リヤエンジンはフロントエンジンから用紙がくると、表面水平、垂直収縮率０％の印刷位置チェックパターンを印刷する。（１ページ目はフロント、リヤの表面の水平、垂直用紙収縮率０％、組み合わせＮｏ．１で印刷する。）２ページ目以降はフロント、リヤエンジンにてプリントクロック制御部７内の発振器の選択を変えながら全ての組み合わせにて表面に水平、垂直方向の収縮率と組み合わせナンバと印刷位置チェックパターンを印刷する。
【００１２】
印刷が完了すると、操作パネル１０の画面が表面の収縮率設定ナンバ入力画面に切り換わる。印刷結果から表面にてフロント、リヤエンジンの印刷位置が一番合っている収縮率の組み合わせナンバを操作パネル１０から登録し、用紙収縮率設定を終了する。
【００１３】
両面印刷が選択された場合は、前記表面印刷動作が同時に裏面にも実行され、フロント、リヤエンジンの表面、裏面における全ての組み合わせにて水平、垂直方向の収縮率と組み合わせナンバと印刷位置チェックパターンが両面印刷され、印刷終了後に表面、裏面の収縮率設定ナンバ入力画面になり、各面で一番印刷位置が合っている収縮率の組み合わせナンバを登録し、用紙収縮率設定を終了する。
【００１４】
なお、リヤエンジンはフロントエンジンの操作パネル１０を共用するため、リヤエンジンは、図２の構成において操作パネル１０が実装されない構成である。
【実施例２】
【００１５】
次に、用紙収縮率設定の処理について図３及び図４で説明する。ステップ１０１は、操作パネル１０にてスポットカラー印刷における用紙収縮率設定メニューを選択する。ステップ１０２は、片面印刷、両面印刷を選択する。ステップ１０３は、組み合わせNo.１とフロント、リヤ表面水平、垂直方向収縮率０％及び印刷位置チェックパターンを片面印刷する。ステップ１０４は、収縮率組み合わせナンバを２にインクリメントする。ステップ１０５は、リヤエンジン表面水平方向収縮率のみを変更する。
【００１６】
ステップ１０６はリヤエンジン表面水平方向収縮率が例えば４パターンあれば、４パターン全て印刷したかチェックする。ステップ１０６の条件が満たされなければ、ステップ１０３に戻り、変更されたリヤエンジン表面水平方向収縮率にてインクリメントされた収縮率組み合わせナンバとフロント、リヤ表面水平、垂直方向収縮率と印刷位置チェックパターンを印刷する。ステップ１０６が満足されるまで、リヤエンジン表面水平方向収縮率のみを変更しながらインクリメントされた収縮率組み合わせナンバとフロント、リヤ表面水平、垂直方向収縮率と印刷位置チェックパターンを印刷する。ステップ１０４でリヤエンジン表面水平方向収縮率が初期値に戻り、全ての組み合わせにて印刷されステップ１０６が満足されると、ステップ１０７でリヤエンジン表面垂直方向収縮率を変更し、ステップ１０８で全てのリヤエンジン表面垂直方向収縮率で印刷したかチェックする。条件が満たされなければステップ１０３に戻り、変更されたリヤエンジン表面垂直方向収縮率とステップ１０４から１０６にて全てのリヤエンジン表面水平方向収縮率を組み合わせて印刷する。
【００１７】
ステップ１０７でリヤエンジン表面垂直方向収縮率が初期値に戻り、全ての組み合わせにて印刷されステップ１０８が満足されると、ステップ１０９でフロントエンジン表面水平方向収縮率を変更し、ステップ１１０で全てのフロントエンジン表面水平方向収縮率で印刷したかチェックする。条件が満たされなければステップ１０３に戻り、変更されたフロントエンジン表面水平方向収縮率とステップ１０４から１０８にて全てのリヤエンジン表面水平、垂直方向用縮率を組み合わせて印刷する。ステップ１０９でフロントエンジン表面水平方向収縮率が初期値に戻り、ステップ１１０が満足されると、ステップ１１１でフロントエンジン表面垂直方向収縮率を変更し、ステップ１１２で全てのフロントエンジン表面垂直方向収縮率で印刷したかチェックする。条件が満たされなければステップ１０３に戻り、変更されたフロントエンジン表面垂直方向収縮率とステップ１０４から１１０にて全てのリヤエンジン表面水平、垂直方向収縮率及びフロントエンジン水平方向収縮率を組み合わせて印刷する。ステップ１１１でフロントエンジン表面垂直方向収縮率が初期値に戻り、ステップ１１２が満足されると、ステップ１１３で用紙収縮率ナンバを初期化し、ステップ１１４で操作パネルが表面用紙収縮率組み合わせナンバ入力画面に切り換わり、ステップ１１５で印刷結果からフロント、リヤエンジン表面印刷位置が一番合っている収縮率組み合わせナンバを入力、登録し、用紙収縮率設定メニューを終了する。
【００１８】
図４におけるステップ１１６からステップ１２５はステップ１０２で両面印刷が選択された場合の用紙収縮率組み合わせナンバとフロント、リヤエンジンの表面、裏面の水平、垂直方向収縮率及び印刷位置チェックパターンを両面印刷するフローである。ステップ１０４〜１１０は表面のみにてフロント、リヤエンジンの収縮率を組み合わせたが、ステップ１１６〜１２5はフロント、リヤエンジンの収縮率を表面、裏面同時に変更して組み合わせを変えながら両面印刷する違いのみで収縮率変更の手順は同じである。
【図面の簡単な説明】
【００１９】
【図１】プリンタの全体構成を示したブロック図である。
【図２】フロントエンジン内での実施方法を示したブロック図である。
【図３】印刷位置設定方法の実施手順を示したフローチャートである。
【図４】印刷位置設定方法の実施手順を示したフローチャートである。
【符号の説明】
【００２０】
１  ホストＣＰＵ
２  フロント、リヤ印刷データ制御サーバ
３  受信制御部
４  メインメモリ
５  印刷制御部
６  パラレル、シリアル変換制御部
７  プリントクロック制御部
８  プリンタエンジン
９  フロント、リヤ印刷制御通信部
１０  操作パネル
１１  ＨＤＤ
【図１】
2006168245.tif 000003
【図２】
2006168245.tif 000004
【図３】
2006168245.tif 000005
【図４】
2006168245.tif 000006